(57)【要約】【課題】表示部に表示される移動対象となる情報の移動を容易かつ迅速に実現できる携帯電話装置及び携帯電話装置の制御方法を提供する。【解決手段】複数の接触検知センサ５６に接触したときに、複数の接触検知センサ５６に接触する接触速度に基づいてディスプレイ４２に表示されるカーソルの移動速度が制御回路３６により制御される。カーソルの移動は、制御回路３６により制御された移動速度に基づいてディスプレイ４２に表示される。これにより、テンキー４８をコンピュータのいわゆるマウスボールのように使用することができ、例えばカーソルの移動を容易かつ迅速に行うことができる。【選択図】      図２
2007066170.tif 000002
【特許請求の範囲】
【請求項１】
複数の入力ボタンと、
複数の前記入力ボタンの表面にそれぞれ設けられ前記入力ボタンに対するユーザの接触を検知する接触検知センサと、
移動対象となる移動対象情報を表示する表示部と、
複数の前記接触検知センサに接触したときに、複数の前記接触検知センサに接触する接触速度に基づいて前記表示部に表示される前記移動対象情報の移動速度を制御する制御部と、
を含んで構成されたことを特徴とする携帯電話装置。
【請求項２】
前記接触検知センサに接触したときに所定の入力信号を生成し前記制御部に入力する入力信号生成部を有し、
前記移動対象情報の移動速度は、前記接触検知センサに接触したときに前記入力信号生成部から前記制御部に入力される入力信号の間隔に基づいて前記制御部により決定されることを特徴とする請求項１に記載の携帯電話装置。
【請求項３】
複数の入力ボタンと、複数の前記入力ボタンの表面にそれぞれ設けられ前記入力ボタンに対するユーザの接触を検知する接触検知センサと、を有する携帯電話装置の制御方法であって、
複数の前記接触検知センサに接触したときに、複数の前記接触検知センサに接触する接触速度に基づいて前記表示部に表示される前記移動対象情報の移動速度が制御部により制御されることを特徴とする携帯電話装置の制御方法。
【請求項４】
前記接触検知センサに接触したときに所定の入力信号を生成し前記制御部に入力する入力信号生成部を有し、
前記移動対象情報の移動速度は、前記接触検知センサに接触したときに前記入力信号生成部から前記制御部に入力される入力信号の間隔に基づいて前記制御部により決定されることを特徴とする請求項３に記載の携帯電話装置の制御方法。
【発明の詳細な説明】
【技術分野】
【０００１】
本発明は、携帯電話装置及び携帯電話装置の制御方法に関し、特に操作部表面に接触検知センサが設けられた携帯電話装置及び携帯電話装置の制御方法に関する。
【背景技術】
【０００２】
従来の携帯電話装置には、テンキーなどの各入力ボタンの表面に接触検知センサをそれぞれ設け、ユーザがこの接触検知センサに接触することにより、入力ボタンを押下することなく、その接触した入力ボタンに該当する入力情報をディスプレイにそのまま入力することができるものが知られている（下記特許文献１参照）。
【特許文献１】特開２００１−３３３１６６号公報
【発明の開示】
【発明が解決しようとする課題】
【０００３】
ところで、上記従来技術の携帯電話装置では、ユーザがこの接触検知センサに接触することにより、その接触した入力ボタンに該当する入力情報をディスプレイにそのまま入力することができるものの、ユーザがこの接触検知センサに接触するだけでは、例えばアドレス帳などの選択時などに使用するカーソルの移動に利用することはできない。携帯電話装置についても、コンピュータと同様に、カーソルを移動させる場合が多々存在するが、このカーソルなどの移動対象となる情報の移動を容易にする技術は考えられていない。このことは、携帯電話装置を利用するユーザに使用し難いという問題を与えてしまう。
【０００４】
そこで、本発明は、上記事情を考慮し、表示部に表示される移動対象となる情報の移動を容易かつ迅速に実現できる携帯電話装置及び携帯電話装置の制御方法を提供することを目的とする。
【課題を解決するための手段】
【０００５】
請求項１に記載の発明は、複数の入力ボタンと、複数の前記入力ボタンの表面にそれぞれ設けられ前記入力ボタンに対するユーザの接触を検知する接触検知センサと、移動対象となる移動対象情報を表示する表示部と、複数の前記接触検知センサに接触したときに、複数の前記接触検知センサに接触する接触速度に基づいて前記表示部に表示される前記移動対象情報の移動速度を制御する制御部と、を含んで構成されたことを特徴とする。
【０００６】
請求項１に記載の発明によれば、複数の接触検知センサに接触したときに、複数の接触検知センサに接触する接触速度に基づいて表示部に表示される移動対象情報の移動速度が制御部により制御される。移動対象情報の移動は、制御部により制御された移動速度に基づいて表示部に表示される。これにより、入力ボタンをコンピュータのいわゆるマウスボールのように使用することができ、例えばカーソルなどの移動対象物の移動を容易かつ迅速に行うことができる。
【０００７】
請求項２に記載の発明は、請求項１に記載の携帯電話装置において、前記接触検知センサに接触したときに所定の入力信号を生成し前記制御部に入力する入力信号生成部を有し、前記移動対象情報の移動速度は、前記接触検知センサに接触したときに前記入力信号生成部から前記制御部に入力される入力信号の間隔に基づいて前記制御部により決定されることを特徴とする。
【０００８】
請求項２に記載の発明によれば、移動対象情報の移動速度は、接触検知センサに接触したときに入力信号生成部から制御部に入力される入力信号の間隔に基づいて制御部により決定される。これにより、制御部が入力される入力信号の間隔を検出するだけで、移動対象情報の移動速度を容易に決定することができる。
【０００９】
請求項３に記載の発明は、複数の入力ボタンと、複数の前記入力ボタンの表面にそれぞれ設けられ前記入力ボタンに対するユーザの接触を検知する接触検知センサと、を有する携帯電話装置の制御方法であって、複数の前記接触検知センサに接触したときに、複数の前記接触検知センサに接触する接触速度に基づいて前記表示部に表示される前記移動対象情報の移動速度が制御部により制御されることを特徴とする。
【００１０】
請求項３に記載の発明によれば、複数の接触検知センサに接触したときに、複数の接触検知センサに接触する接触速度に基づいて表示部に表示される移動対象情報の移動速度が制御部により制御される。移動対象情報の移動は、制御部により制御された移動速度に基づいて表示部に表示される。これにより、入力ボタンをコンピュータのいわゆるマウスボールのように使用することができ、例えばカーソルなどの移動対象物の移動を容易かつ迅速に行うことができる。
【００１１】
請求項４に記載の発明は、請求項３に記載の携帯電話装置の制御方法において、前記接触検知センサに接触したときに所定の入力信号を生成し前記制御部に入力する入力信号生成部を有し、前記移動対象情報の移動速度は、前記接触検知センサに接触したときに前記入力信号生成部から前記制御部に入力される入力信号の間隔に基づいて前記制御部により決定されることを特徴とする。
【００１２】
請求項４に記載の発明によれば、移動対象情報の移動速度は、接触検知センサに接触したときに入力信号生成部から制御部に入力される入力信号の間隔に基づいて制御部により決定される。これにより、制御部が入力される入力信号の間隔を検出するだけで、移動対象情報の移動速度を容易に決定することができる。
【発明の効果】
【００１３】
本発明によれば、表示部に表示される移動対象となる情報の移動を容易かつ迅速に実現できる。
【発明を実施するための最良の形態】
【００１４】
次に、本発明の一実施形態に係る携帯電話装置について、図面を参照して説明する。
【００１５】
図１及び図２に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１６】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１７】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１８】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１９】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２０】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２１】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００２２】
また、制御回路３６には、入力部４４が接続されている。この入力部４４は、電話番号等の入力を行うテンキー（入力ボタン）４８と、通話の開始を操作する通話キー５０と、通話の終了を操作する切キー５２と、各種機能の設定を行う機能キー５４と、を有している。
【００２３】
ここで、図２及び図３に示すように、テンキー４８には、１〜９の各入力ボタンと、♯ボタンと、＊ボタン（本実施形態では１２個のボタンとなる）とが含まれる。また、全てのテンキー４８の表面には、ユーザが接触したことを検知する接触検知センサ５６が設けられている。この接触検知センサ５６は、従来から知られているものであり、例えば、透明電極等が用いられている。この接触検知センサ５６は、回路基板（入力信号生成部）５８を介して制御回路３６と電気的に接続されている。この回路基板５８は、各テンキー４８に対応した入力信号を制御回路３６にそれぞれ別々に入力することができるように、テンキー４８と同じ個数（本実施形態では１２本）の回路基板５８上でパターン形成された信号送信部６０を介して、各テンキー４８が制御回路３６と接続されている。これにより、ユーザが所定のテンキー４８に接触すると、その接触したテンキー４８の磁力の変化に基づいて回路基板５８の信号送信部６０から所定の入力信号が出力され、この入力信号が制御回路３６に入力される。制御回路３６に所定の入力信号が入力されると、その入力信号に応じたテンキー４８に対応する文字（数字）情報をディスプレイ４２に表示させる。このように、ユーザが各テンキー４８を押下しなくても、各テンキー４８に接触するだけで所定の文字（数字）情報をディスプレイ４２に表示させることができる。また、各テンキー４８を押下させることなく、隣接する複数のテンキー４８の表面に接触するだけで、ディスプレイ４２に表示されたカーソル（移動対象情報）を移動させることができる。
【００２４】
また、制御回路３６には、所定の色のＬＥＤ素子を備えた照明部４６が接続されている。照明部４６のＬＥＤ素子の発光により、ディスプレイ（表示部）４２が所定の色に施される。
【００２５】
また、制御回路３６には、制御回路３６の動作に必要な所定の情報が記憶されているＲＡＭ４０が接続されている。
【００２６】
ここで、ＲＡＭ４０には、回路基板５８の信号送信部６０から制御回路３６に入力される入力信号の入力速度に基づいてディスプレイ４２に表示されたカーソル（移動対象情報）の移動を算出するプログラムが格納されている。具体的には、回路基板５８の信号送信部６０から制御回路３６に入力される入力信号の間隔とカーソル（移動対象情報）のディスプレイ４２上における移動速度との対応関係を示すテーブルが格納されている。例えば、ユーザが「２」の入力ボタンの表面と接触した後、「２」の入力ボタンの下側に位置する「５」の入力ボタンの表面と接触し、さらに「５」の入力ボタンの下側に位置する「８」の入力ボタンの表面を接触する場合では、「２」の入力ボタンに相当する第１入力信号が回路基板５８の信号送信部６０から制御回路３６に入力され、「５」の入力ボタンに相当する第２入力信号が回路基板５８の信号送信部６０から制御回路３６に入力され、「８」の入力ボタンに相当する第３入力信号が回路基板５８の信号送信部６０から制御回路３６に入力される。そして、第１入力信号が制御回路３６に入力されてから第２入力信号が制御回路３６に入力されるまでの間隔と、第２入力信号が制御回路３６に入力されてから第３入力信号が制御回路３６に入力されるまでの間隔と、に基づいてカーソルの下方向への移動速度が決定される。より具体的には、第１入力信号が制御回路３６に入力されてから第２入力信号が制御回路３６に入力されるまでの間隔と、第２入力信号が制御回路３６に入力されてから第３入力信号が制御回路３６に入力されるまでの間隔と、が小さいほどカーソルの移動速度が速くなり、上記間隔が大きいほどカーソルの移動速度が遅くなる。このように制御回路３６により決定された移動速度に基づいてディスプレイ４２に表示されているカーソルが下方向に移動される。
【００２７】
なお、本実施形態では、下方向にカーソルを移動させる構成を例にとり説明したが、これに限られるものではなく、入力ボタンの接触方向を適宜変化させることにより、カーソルの移動方法も変更させることができる。例えば、「８」の入力ボタンの表面に接触した後、「５」の入力ボタンの表面に接触し、さらに「２」の入力ボタンの表面に接触することにより、カーソルを上方向への移動速度を制御することができる。また、「４」の入力ボタンの表面に接触した後、「５」の入力ボタンの表面に接触し、さらに「６」の入力ボタンの表面に接触することにより、カーソルの右方向への移動速度を制御することができる。さらに、「６」の入力ボタンの表面に接触した後、「５」の入力ボタンの表面に接触し、さらに「４」の入力ボタンの表面に接触することにより、カーソルの左方向への移動速度を制御することができる。
【００２８】
次に、本実施形態に係る携帯電話装置１０の制御方法について図４に示すフローチャートに基づいて説明する。
【００２９】
図４に示すように、ユーザが各テンキー４８の表面に接触したか否かが判断される（Ｓ１００）。ここで、ユーザが複数のテンキー４８の表面（接触検知センサ５６）に接触すると、回路基板５８の信号送信部６０から所定の入力信号が制御回路３６に入力され、この入力信号の入力の有無に基づいて各テンキー４８の表面に接触したか否かを制御回路３６が判断する。ユーザが複数のテンキー４８の表面に接触したと判断されると（Ｓ１００：ＹＥＳ）、各入力信号（例えば、上述の第１入力信号、第２入力信号及び第３入力信号など）が制御回路３６にそれぞれ入力した間隔が算出される（Ｓ１１０）。各入力信号が入力した間隔が算出されると、ＲＡＭ４０に記憶されたテーブルに基づいてカーソルの移動速度が決定される（Ｓ１２０）。カーソルの移動速度が決定されると、ディスプレイ４２に表示されたカーソルが、その決定された移動速度に基づいて移動される（Ｓ１３０）。
【００３０】
以上のように、本実施形態によれば、複数の触検知センサ５６に接触したときに、複数の接触検知センサ５６に接触する接触速度に基づいてディスプレイ４２に表示されたカーソルの移動速度が制御回路３６により制御され、制御回路３６により制御された移動速度に基づいてカーソルがディスプレイ４２上を移動される。これにより、テンキー４８をコンピュータのいわゆるマウスボールのように使用することができ、例えばカーソルの移動を容易かつ迅速に行うことができる。
【００３１】
特に、カーソルの移動速度を、接触検知センサ５６に接触したときに回路基板５８から信号送信部６０を介して制御回路３６に入力される入力信号の間隔に基づいて制御回路３６により決定される。これにより、制御回路３６が入力される入力信号の間隔を検出するだけで、カーソルの移動速度を容易に決定することができる。
【００３２】
なお、上記実施形態では、カーソルの移動速度についての制御を例に挙げ説明したが、これに限られるものではない。例えば、アドレス帳のページをスクロールさせるスクロール速度についても本発明を適用することができる。この場合、ＲＡＭ４０に、回路基板５８の信号送信部６０から制御回路３６に入力される入力信号の入力速度に基づいてディスプレイ４２に表示されたアドレス帳のページ（移動対象情報）のスクロール移動を算出するプログラムが格納されている。具体的には、回路基板５８の信号送信部６０から制御回路３６に入力される入力信号の間隔とアドレス帳のページのディスプレイ４２上におけるスクロール移動速度との対応関係を示すテーブルが格納されている。これにより、上記実施形態と同様に、回路基板５８の信号送信部６０から制御回路３６に入力される入力信号の間隔に基づいて、制御回路３６によりアドレス帳のページをスクロールするスクロール移動速度を決定することができる。この決定されたスクロール移動速度が遅い場合にはアドレス帳の少ないページ（例えば３ページ程度）をスクロールさせることができ、この決定されたスクロール移動速度が速い場合にはアドレス帳の多くのページ（例えば１０ページ程度）をスクロールさせることができる。
【００３３】
さらに、ブラウザ（例えば、ＥＺＷｅｂ（登録商標））の選択速度についても本発明を適用することができる。この場合、ＲＡＭ４０に、回路基板５８の信号送信部６０から制御回路３６に入力される入力信号の入力速度に基づいてブラウザ（移動対象情報）の選択速度を算出するプログラムが格納されている。具体的には、回路基板５８の信号送信部６０から制御回路３６に入力される入力信号の間隔とブラウザの選択速度との対応関係を示すテーブルが格納されている。これにより、上記実施形態と同様に、回路基板５８の信号送信部６０から制御回路３６に入力される入力信号の間隔に基づいて、制御回路３６によりブラウザ（移動対象情報）の選択速度を決定することができる。例えば、画面上に各種カテゴリ（例えば、ニュース、天気予報、テレビ番組、グルメ、等）が表示されている際に、ユーザが接触検知センサ５６上を指で早くなぞると、各カテゴリ上に表示されているカーソルを早く移動できる。又、各カテゴリが１カテゴリにつき１頁づつ画面上に表示される場合には、指を早くなぞることにより、頁を早くめくることが可能である。勿論、指を遅くなぞれば、頁を遅くめくることが可能である。
【００３４】
尚、本実施例では、テンキー４８上に接触検知センサ５６を配置したが、テンキー４８だけでなく携帯電話装置１０の筐体上に接触検知センサを配置しても良い。又、筐体内部に静電容量を検出することにより、指がなぞらえたことを検出する検出装置を配置しても良い。
【図面の簡単な説明】
【００３５】
【図１】本発明の一実施形態に係る携帯電話装置の外観図である。
【図２】本発明の一実施形態に係る携帯電話装置のブロック図である。
【図３】本発明の一実施形態に係る携帯電話装置の要部を示す概念図である。
【図４】本発明の一実施形態に係る携帯電話装置の制御方法を示すフローチャートである。
【符号の説明】
【００３６】
１０      携帯電話装置
３６      制御回路（制御部）
４２      ディスプレイ（表示部）
４８      テンキー（入力ボタン）
５６      接触検知センサ
５８      回路基板（入力信号生成部）
【図１】
2007066170.tif 000003
【図２】
2007066170.tif 000004
【図３】
2007066170.tif 000005
【図４】
2007066170.tif 000006